(57)【要約】【課題】カード等の第２媒体を容易に挿入できる、画像読取装置および搬送装置を提供する。【解決手段】カード導入口１２１は、筐体２の後面２Ｒに後側に開放されて形成されている第１開口１３４および右側板部１２の右面１２Ｒに右側に開放されて形成されている第２開口１３５から形成される。使用者は、カードＣＡを右側から第２開口１３５に挿入し、第２開口１３５から第１開口１３４へと移動させ、第１開口１３４に後側から前側へ挿入する。このときに、第２開口１３５の上下方向の両端縁により、カードＣＡが上下方向において第１開口１３４内にガイドされるため、カードＣＡを良好に移動させることができる。その結果、画像読取装置１の前側に位置する使用者が視認可能な第２開口１３５にカードＣＡを挿入することにより、カードＣＡを第１開口１３４に容易に挿入することができる。【選択図】図１Ｂ
2014080247.tif 000002
【特許請求の範囲】
【請求項１】
第１方向の一方側である導入側に位置する第１導入口と、前記第１導入口から導入される第１媒体が前記導入側から前記第１方向における前記導入側と反対側である排出側へ搬送されるように構成される第１搬送路と、前記導入側の導入面に前記導入側に開放されて形成される第１開口と前記第１方向と直交する第２方向の一方側の側面に前記第２方向の一方側に開放されて形成される第２開口とが形成された第２導入口と、前記第２導入口から導入される前記第１媒体よりも幅狭の第２媒体が前記導入側から前記排出側へ搬送されるように構成される第２搬送路と、が形成された筐体と、
前記第１導入口から導入される前記第１媒体を搬送するように構成される第１搬送ローラと、
前記第２導入口から導入される前記第２媒体を搬送するように構成される第２搬送ローラと、
前記第１搬送ローラにより搬送される前記第１媒体又は前記第２搬送ローラにより搬送される前記第２媒体の画像を読み取るように構成される読取部と、
を備える、画像読取装置。
【請求項２】
前記第２方向において前記筐体における前記一方側の前記側面と前記筐体における前記第２方向の他方側の側面との間に位置し、前記第２方向と交差する壁を備える、請求項１に記載の画像読取装置。
【請求項３】
前記筐体は、前記第１方向および前記第２方向と直交する第３方向の一方側に設けられる上壁と前記第３方向の他方側に設けられる下壁とを備え、
前記上壁と前記下壁とは、前記壁により連結され、
前記第１開口は、前記壁、前記上壁、及び前記下壁により形成され、
前記第２開口は、前記上壁、及び前記下壁により形成される請求項２に記載の画像読取装置。
【請求項４】
前記壁、前記上壁及び前記下壁の少なくとも一つに設けられ、前記第２導入口において前記第２媒体が導入される場合に音を発生するように構成され、前記第２導入口における前記第２媒体の有無を検出するように構成されるセンサを備える、請求項３に記載の画像読取装置。
【請求項５】
前記上壁及び前記下壁の少なくとも一方に設けられ、前記第２導入口における前記第２媒体の有無を検出するように構成されるセンサを備える、請求項３に記載の画像読取装置。
【請求項６】
前記壁に設けられ、前記第２導入口における前記第２媒体の有無を検出するように構成されるセンサを備える、請求項３に記載の画像読取装置。
【請求項７】
前記センサによって前記第２媒体が前記第２導入口において検出されるときに、前記第２搬送ローラを駆動する制御を実行するように構成される制御部を備える、請求項４〜６のいずれか一項に記載の画像読取装置。
【請求項８】
前記センサによって第２媒体が前記第２導入口において検出される場合に、外部に報知するように構成される報知部を備える、請求項４〜７のいずれか一項に記載の画像読取装置。
【請求項９】
前記第２搬送ローラに対して前記排出側に設けられ、前記第１搬送路を搬送される前記第１媒体および前記第２搬送路を搬送される前記第２媒体を搬送するように構成される共通搬送ローラを備える、請求項１〜８のいずれか一項に記載の画像読取装置。
【請求項１０】
前記筐体は、上部筐体と、下部筐体とを備え、
前記上部筐体は、前記導入面側から前記排出側に延びる上ガイドを下面に備え、
前記下部筐体は、前記導入面側から前記排出側に延びる下ガイドを上面に備え、
前記第１搬送路は、前記上ガイドと前記下ガイドとの間に形成され、
前記第２導入口は、前記下部筐体の前記導入側に形成され、
前記第２搬送路の前記導入側の一部である導入パスは、前記下ガイドの下方に配置され、前記下部筐体に形成され、
前記第１搬送路は、前記第２搬送路の前記排出側の一部である共通パスを含み、
前記下部筐体には、前記第２搬送路の前記導入パスと前記共通パスとの間に前記第２媒体が通過可能な通過口が形成され、
前記共通搬送ローラは、前記導入パスにおいて搬送され、前記通過口を通過した前記第２媒体を搬送するように構成される、請求項９に記載の画像読取装置。
【請求項１１】
前記第２搬送ローラは、前記下ガイドの下方に配置され、前記第２導入口に導入される前記第２媒体を前記導入パスにおいて搬送するように構成され、
前記共通搬送ローラは、前記導入パスにおいて搬送され、前記通過口を通過した前記第２媒体を搬送するように構成される、請求項１０に記載の画像読取装置。
【請求項１２】
前記筐体には、前記排出側に第１排出口と第２排出口とが形成され、
前記第１搬送路は、前記第１導入口と前記第１排出口との間の前記第１媒体の搬送路であり、
前記第２搬送路は、前記第２導入口と前記第２排出口との間の前記第２媒体の搬送路であり、
前記第２導入口は、前記第１導入口の下方に位置し、
前記第１搬送路と前記第２搬送路とは、前記第２方向において少なくとも一部が重複しており、
前記第１排出口と前記第２排出口とは、前記第２方向において少なくとも一部が重複している請求項１１に記載の画像読取装置。
【請求項１３】
前記壁、前記上壁及び前記下壁の少なくとも一つに設けられ、前記第２導入口において前記第２媒体が導入される場合に音を発生するように構成される音発生部材を備える、請求項１〜１２のいずれか一項に記載の画像読取装置。
【請求項１４】
第１方向の一方側である導入側に位置する第１導入口と、前記第１導入口から導入される前記第１媒体が前記導入側から前記第１方向における前記導入側と反対側である排出側へ搬送されるように構成される第１搬送路と、前記導入側の導入面に前記導入側に開放されて形成される第１開口と前記第１方向と直交する第２方向の一方側の側面に前記第２方向の一方側に開放されて形成される第２開口とが形成された第２導入口と、前記第２導入口から導入される前記第１媒体よりも幅狭の第２媒体が前記導入側から前記排出側へ搬送されるように構成される第２搬送路と、が形成された筐体と、
前記第１導入口から導入される前記第１媒体を搬送するように構成される第１搬送ローラと、
前記第２導入口から導入される前記第２媒体を搬送するように構成される第２搬送ローラと、を備える、搬送装置。
【発明の詳細な説明】
【技術分野】
【０００１】
本発明は、画像読取装置および搬送装置に関する。
【背景技術】
【０００２】
特許文献１に開示されている画像読取装置は、筐体を備えている。筐体の背面側には、シートを導入するための導入口が形成されている。一方、筐体の前面側には、シートを排出するための排出口が形成されている。そして、筐体の内部には、導入口から排出口に至る搬送路が形成されている。搬送路には、画像読取ユニットが設けられている。また、画像読取ユニットの導入口側および排出口側には、それぞれ搬送ローラ対が設けられている。
【０００３】
導入口から導入されるシートは、搬送ローラ対により、搬送路を搬送される。このシートの搬送の途中で、画像読取ユニットにより、シートの画像が読み取られる。
【０００４】
また、特許文献１に開示されている画像読取装置は、シートよりも幅狭なカードに描かれている画像をも読み取ることができる。具体的には、排出口の一部は、カードを導入するカード導入口およびカードを排出するカード排出口を兼ねている。また、搬送ローラ対を一方向および他方向の両方向に回転駆動するための機構が設けられている。
【０００５】
カード導入口にカードが挿入されると、搬送ローラ対がシートの搬送時とは逆方向に回転駆動されて、搬送ローラ対により、カードがカード導入口内に引き込まれる。そして、カードが画像読取ユニットを通過すると、搬送ローラ対の回転方向が反転されて、搬送ローラ対がシートの搬送時と同方向に回転駆動される。これにより、カードの搬送方向が反転され、カードがカード排出口に向けて搬送される。このカードの搬送の途中で、画像読取ユニットにより、カードの画像が読み取られる。
【先行技術文献】
【特許文献】
【０００６】
【特許文献１】特開２０１２−１００１１５号公報
【発明の概要】
【発明が解決しようとする課題】
【０００７】
しかしながら、搬送ローラを一方向および他方向の両方向に回転駆動するための機構が設けられているため、搬送ローラの駆動系の構成が複雑である。
【０００８】
搬送ローラの駆動系の構成を簡素化するために、カードを導入するためのカード導入口を筐体の背面側に形成し、このカード導入口から導入されたカードを排出口の一部からなるカード排出口に向けて搬送する構成が考えられる。ところが、使用者が筐体の前面側からカード導入口を視認することができないため、カードを手探りでカード導入口に挿入しなければならず、その挿入に手間取るおそれがある。
【０００９】
本発明の目的は、カード等の第２媒体を容易に挿入できる、画像読取装置および搬送装置を提供することである。
【課題を解決するための手段】
【００１０】
前記の目的を達成するため、本発明の一の局面に係る画像読取装置は、第１方向の一方側である導入側に位置する第１導入口と、前記第１導入口から導入される第１媒体が前記導入側から前記第１方向における前記導入側と反対側である排出側へ搬送されるように構成される第１搬送路と、前記導入側の導入面に前記導入側に開放されて形成される第１開口と前記第１方向と直交する第２方向の一方側の側面に前記第２方向の一方側に開放されて形成される第２開口とが形成された第２導入口と、前記第２導入口から導入される前記第１媒体よりも幅狭の第２媒体が前記導入側から前記排出側へ搬送されるように構成される第２搬送路と、が形成された筐体と、前記第１導入口から導入される前記第１媒体を搬送するように構成される第１搬送ローラと、前記第２導入口から導入される前記第２媒体を搬送するように構成される第２搬送ローラと、前記第１搬送ローラにより搬送される前記第１媒体又は前記第２搬送ローラにより搬送される前記第２媒体の画像を読み取るように構成される読取部と、を備える。
【００１１】
この構成によれば、第２方向の一方側から第２開口へ第２媒体を導入でき、第２媒体が第２開口から第１開口に移動されるときに、第２開口により、第２媒体がガイドされる。そのため、第２媒体を第１開口まで良好に移動させることができる。その結果、使用者が画像読取装置の前側に位置しているときに視認しやすい第２開口に第２媒体を挿入することで、第２媒体を第１開口に容易に挿入することができる。
【００１２】
筐体は、第２方向において筐体における一方側の側面と筐体における第２方向の他方側の側面との間に位置し、第２方向と交差する壁を備えていてもよい。
【００１３】
この構成によれば、第２媒体を第２開口から第１開口に向けて、第２媒体が壁に当接するまで移動させることにより、第２媒体を第１開口に配置することができる。よって、第２媒体を第１開口に一層容易に挿入することができる。
【００１４】
筐体は、第３方向の一方側に設けられる上壁と第３方向の他方側に設けられる下壁とを備え、上壁と下壁とは、壁により連結され、第１開口は、壁、上壁、及び下壁により形成され、第２開口は、上壁、及び下壁により形成されていてもよい。
【００１５】
これにより、筐体に第１開口および第２開口を形成することができる。そして、第２開口の端縁をなす上壁および下壁の各端縁により、第２開口から第１開口に移動される第２媒体をガイドすることができる。
【００１６】
第２導入口において第２媒体が導入されるときに音を発生するように構成され、第２導入口における第２媒体の有無を検出するように構成されるセンサが、壁、上壁及び下壁のいずれかに設けられていてもよい。
【００１７】
これにより、センサが発する音によって、使用者に第２媒体が第１開口に挿入されたかを容易に認識させ得る。
【００１８】
第２導入口における第２媒体の有無を検出するように構成されるセンサが上壁及び下壁の少なくとも一方に設けられていてもよい。
【００１９】
また、第２導入口における第２媒体の有無を検出するように構成されるセンサが壁に設けられていてもよい。
【００２０】
センサが設けられた構成では、画像読取装置は、センサによって第２媒体が第２導入口において検出されるときに、第２搬送ローラを駆動する制御を実行するように構成される制御部を備えていてもよい。
【００２１】
第２媒体が第２導入口に挿入されると、センサにより、第２媒体が検出される。そして、センサによって第２媒体が検出されると、制御部により、第２搬送ローラの駆動が制御される。そのため、第２導入口への第２媒体の挿入に応答して、第２搬送ローラによる第２媒体の搬送を開始することができる。
【００２２】
また、センサが設けられた構成において、画像読取装置は、センサによって第２媒体が第２導入口において検出されるときに、外部に報知するように構成される報知部を備えていてもよい。
【００２３】
センサによって第２媒体が検出されると、外部に報知される。これにより、第２導入口への第２媒体の挿入の完了を使用者に認知させることができる。
【００２４】
画像読取装置は、第２搬送ローラに対して排出側に設けられ、第１搬送路を搬送される第１媒体および第２搬送路を搬送される第２媒体を搬送するように構成される共通搬送ローラを備えていてもよい。
【００２５】
これにより、構成を簡素化することができる。
【００２６】
筐体は、上部筐体と、下部筐体とを備え、上部筐体は、導入面側から排出側に延びる上ガイドを下面に備え、下部筐体は、導入面側から排出側に延びる下ガイドを上面に備え、第１搬送路は、上ガイドと下ガイドとの間に形成され、第２導入口は、下部筐体の導入側に形成され、第２搬送路の導入側の一部である導入パスは、下ガイドの下方に配置され、下部筐体に形成され、第１搬送路は、第２搬送路の排出側の一部である共通パスを含み、下部筐体には、第２搬送路の導入パスと共通パスとの間に第２媒体が通過可能な通過口が形成され、共通搬送ローラは、導入パスにおいて搬送され、通過口を通過した第２媒体を搬送するように構成されていてもよい。
【００２７】
この構成によれば、第２媒体は、第２導入口から導入され、下ガイドの下方にある導入パスを通過する。その後、第２媒体は、下ガイドに形成された通過口を通過して、下ガイドと上ガイドとの間に形成された第１搬送路の一部である共通パスに搬送される。共通搬送ローラによって共通パスを搬送される第２媒体は、第１搬送路の排出側に排出される。これにより、第１媒体と第２媒体との搬送路を排出側において共有することができる。
【００２８】
第２搬送ローラは、下ガイドの下方に配置され、第２導入口に導入される第２媒体を導入パスにおいて搬送するように構成されていてもよく、共通搬送ローラは、導入パスにおいて搬送され、通過口を通過した第２媒体を搬送するように構成されていてもよい。
【００２９】
第１媒体は、下ガイドの上方を通過する。第２媒体は、下ガイドの下方に配置された導入パスを通過する。第２搬送ローラが下ガイドの下方に配置されているので、第１媒体と第２搬送ローラとの接触を抑制することができる。そのため、第１媒体の斜行を抑制することができる。
【００３０】
筐体には、排出側に第１排出口と第２排出口とが形成されており、第１搬送路は、第１導入口と第１排出口との間の第１媒体の搬送路であり、第２搬送路は、第２導入口と第２排出口との間の第２媒体の搬送路であってもよい。また、第２導入口は、第１導入口の下方に位置し、第１搬送路と第２搬送路とは、第２方向において少なくとも一部が重複しており、第１排出口と第２排出口とは、第２方向において少なくとも一部が重複していてもよい。
【００３１】
これにより、第１媒体と第２媒体との排出口を共用させることができる。
【００３２】
また、第２導入口において第２媒体が導入される場合に音を発生するように構成される音発生部材が壁、上壁及び下壁の少なくとも一つに設けられていてもよい。
【００３３】
これにより、音発生部材が発する音によって、使用者に第２媒体が第１開口に挿入されたかを容易に認識させ得る。
【００３４】
また、本発明の他の局面に係る搬送装置は、第１方向の一方側である導入側に位置する第１導入口と、前記第１導入口から導入される前記第１媒体が前記導入側から前記第１方向における前記導入側と反対側である排出側へ搬送されるように構成される第１搬送路と、前記導入側の導入面に前記導入側に開放されて形成される第１開口と前記第１方向と直交する第２方向の一方側の側面に前記第２方向の一方側に開放されて形成される第２開口とが形成された第２導入口と、前記第２導入口から導入される前記第１媒体よりも幅狭の第２媒体が前記導入側から前記排出側へ搬送されるように構成される第２搬送路と、が形成された筐体と、前記第１導入口から導入される前記第１媒体を搬送するように構成される第１搬送ローラと、前記第２導入口から導入される前記第２媒体を搬送するように構成される第２搬送ローラと、を備える。
【００３５】
この構成によれば、第２方向の一方側から第２開口へ第２媒体を導入でき、第２媒体が第２開口から第１開口に移動されるときに、第２開口により、第２媒体がガイドされる。そのため、第２媒体を第１開口まで良好に移動させることができる。その結果、使用者が画像読取装置の前側に位置しているときに視認しやすい第２開口に第２媒体を挿入することで、第２媒体を第１開口に容易に挿入することができる。
【発明の効果】
【００３６】
本発明によれば、第２媒体を第１開口まで良好に移動させることができる。その結果、使用者が画像読取装置の前側に位置しているときに視認しやすい第２開口に第２媒体を挿入することで、第２媒体を第１開口に容易に挿入することができる。
【図面の簡単な説明】
【００３７】
【図１Ａ】図１Ａは、本発明の一実施形態に係る画像読取装置１の左前上方から見た斜視図であり、カバー３が閉じられた状態を示す。
【図１Ｂ】図１Ｂは、画像読取装置１の右後上方から見た斜視図であり、カバー３が閉じられた状態を示す。
【図２】図２は、画像読取装置１の右前上方から見た斜視図であり、カバー３が開かれた状態を示す。
【図３】図３は、画像読取装置１の平面図であり、カバーが開かれるとともに、上部筐体がメンテナンス位置に配置された状態を示す。
【図４】図４は、画像読取装置１の断面図である。
【図５】図５は、画像読取装置１の電気的構成の要部を示すブロック図である。
【図６】図６は、カードの挿入時に実行される処理の流れを示すフローチャートである。
【図７】図７は、シート排出口２０２とカード排出口１２３とが少なくとも一部において重複していることを概略的に示すための説明図である。
【図８】図８は、カード導入口１２１の第１開口１３４を概略的に示すための説明図である。
【図９】図９は、カードＣＡの導入時に有無センサ３００から音が発生する機構を説明するための説明図である。
【図１０】図１０は、カードＣＡの導入時に音発生部材３１０によって音が発生する機構を説明するための説明図である。
【発明を実施するための形態】
【００３８】
以下では、本発明の実施の形態について、添付図面を参照しつつ詳細に説明する。画像読取装置１は、本発明の画像読取装置および搬送装置の具体的態様の一例である。図１Ａでは、前カバー２２側を装置の前側と規定し、前カバー２２に対向した場合に左手に来る側を左側と規定して、前後、左右および上下の各方向を表示する。そして、図１Ｂ以降に示す各方向は、全て図１Ａに示す各方向に対応させて表示する。以下、図１Ａ等に基づいて、画像読取装置１が備える各構成要素について説明する。
【００３９】
＜外観＞
【００４０】
画像読取装置１は、筐体２およびカバー３を備えている。
【００４１】
＜筐体＞
【００４２】
筐体２は、左側板部１１、右側板部１２、下部筐体１３および上部筐体１４を備えている。
【００４３】
左側板部１１および右側板部１２は、左右方向に間隔を空けて配置されている。
【００４４】
下部筐体１３および上部筐体１４は、左側板部１１と右側板部１２との間に配置されている。
【００４５】
下部筐体１３は、左側板部１１および右側板部１２に対して固定されている。
【００４６】
上部筐体１４の左前下端部および右前下端部には、非図示の軸部がそれぞれ左側および右側に突出して形成されている。そして、左右の軸部がそれぞれ左側板部１１および右側板部１２に回動可能に支持されることにより、上部筐体１４は、図２に示される通常位置と図３に示されるメンテナンス位置との間で回動可能に設けられている。
【００４７】
上部筐体１４は、図２に示されるように、通常位置で、下部筐体１３に上方から重なる。通常位置に位置する上部筐体１４の上面１４Ｕは、左側板部１１および右側板部１２の各上面１１Ｕ，１２Ｕよりも一段低い位置に位置する。また、通常位置に位置する上部筐体１４の前面１４Ｆは、左側板部１１および右側板部１２の各前面１１Ｆ，１２Ｆよりも後側に位置する。
【００４８】
また、上部筐体１４は、図３に示すメンテナンス位置で、下部筐体１３に対して前側に展開して、下部筐体１３の前端部上から前上方に延びる。
【００４９】
＜カバー＞
【００５０】
カバー３は、上カバー２１および前カバー２２を備えている。
【００５１】
上カバー２１の基端部は、筐体２の左側板部１１および右側板部１２の後上端部に回動可能に支持されている。これにより、上カバー２１は、図１Ｂに示される閉位置と図２に示される開位置との間で回動可能に設けられている。
【００５２】
上カバー２１は、閉位置で、下部筐体１３および上部筐体１４に上方から重なる。
【００５３】
また、上カバー２１は、開位置で、筐体２の後上端部から後上方に延びる。
【００５４】
前カバー２２は、図１Ａに示される屈曲位置と図２に示される伸張位置との間で回動可能に設けられている。
【００５５】
また、前カバー２２は、伸張位置で、上カバー２１と略同一平面上を延びる。上カバー２１が開位置に位置し、前カバー２２が伸張位置に位置する状態で、上カバー２１および前カバー２２は、図２に示されるように、筐体２の後上端部から後上方に延び、筐体２内に送り込まれる第１媒体の一例としてのシートＳＨが載置されるトレイをなす。
【００５６】
下部筐体１３は、図３および図４に示されるように、傾斜部３３と、平坦部３４とを有している。傾斜部３３は、後端縁３１から前端縁３２と同じ高さの位置まで前下方に延びる。平坦部３４は、前端縁３２と同じ高さの位置で、傾斜部３３から前端縁３２まで延びる。
【００５７】
上部筐体１４の下面１４Ｂの後端縁７１は、図２に示されるように、下部筐体１３の傾斜部３３の上方に間隔を空けて位置する。下面１４Ｂの前端縁７２は、下部筐体１３の上面１３Ｕの前端縁３２の上方に間隔を空けて位置する。上部筐体１４は、図３および図４に示されるように、傾斜部７３と、平坦部７４とを有している。傾斜部７３は、後端縁７１から前端縁７２と同じ高さの位置まで、傾斜部３３と平行をなして前下方に延びる。平坦部３４は、前端縁７２と同じ高さの位置で、傾斜部７３から前端縁７２まで下部筐体１３の平坦部３４と平行をなして延びる。
【００５８】
シート導入口２０１とシート排出口２０２とシート搬送路２０３とが、上部筐体１４と下部筐体１３との間に形成されている。シート導入口２０１は、第１導入口の一例である。シート排出口２０２は、第１排出口の一例である。シート搬送路２０３は、第１搬送路の一例である。シート導入口２０１は、上部筐体１４の後端縁７１と下部筐体１３の傾斜部３３との間に形成され、後上方に開放されている。シート排出口２０２は、上部筐体１４の前端縁７２と下部筐体１３の前端縁３２との間に形成され、前方に開放されている。シート搬送路２０３は、シート導入口２０１とシート排出口２０２とを連結している。シート搬送路２０３は、上部筐体１４の傾斜部７３の下面である上ガイドＧＵと下部筐体１３の傾斜部３３の上面である下ガイドＧＢとの間の空間、および上部筐体１４の平坦部７４と下部筐体１３の平坦部３４との間の空間である。
【００５９】
シート導入口２０１から導入されたシートＳＨは、筐体２内のシート搬送路２０３を通過して、シート排出口２０２から排出される。以下、このシートＳＨの流れに沿って、画像読取装置１が備える各構成の説明を行う。
【００６０】
画像読取装置１は、供給ローラ４１、分離片８１、ＬＦローラ４２、ＬＦピンチローラ８２、カードＬＦローラ４３、カードＬＦピンチローラ８３、第１読取部１００、第２読取部６０、排出ローラ４４、排出ピンチローラ８４、カード排出ローラ４５およびカード排出ピンチローラ８５を備えている。
【００６１】
供給ローラ４１は、図３に示されるように、２つのローラを備える。供給ローラ４１の２つのローラは回転軸５１に取り付けられている。供給ローラ４１は、傾斜部３３の左右方向の中央部に、配置されている。回転軸５１は、下部筐体１３の内部で左右方向に延び、下部筐体１３に回転可能に保持されている。
【００６２】
分離片８１は、たとえば、ゴムからなる。分離片８１の基端部は、上部筐体１４に取り付けられている。分離片８１は、供給ローラ４１の周面に弾性的に当接している。分離片８１と供給ローラ４１とにより、複数枚のシートＳＨが一枚に分離されて、搬送され得る。シートＳＨは、前方に向けて搬送される。したがって、本実施形態において、前方がシート搬送方向における下流側であり、後方がシート搬送方向における上流側である
【００６３】
ＬＦローラ４２およびＬＦピンチローラ８２は、供給ローラ４１および分離片８１のシート搬送方向下流側に位置する。ＬＦローラ４２は、２つのローラを備える。ＬＦローラ４２の２つのローラは回転軸５３に取り付けられている。ＬＦピンチローラ８２は、２つのピンチローラを備える。ＬＦピンチローラ８２の２つのピンチローラは、回転軸９１に取り付けられている。ＬＦピンチローラ８２の周面は、図４に示されるように、ＬＦローラ４２の周面に上方から当接している。ＬＦローラ４２が回転駆動されると、ＬＦピンチローラ８２がＬＦローラ４２に従動して回転される。
【００６４】
カードＬＦローラ４３は、ＬＦローラ４２の右側に間隔を空けた位置に配置されている。カードＬＦローラ４３は、ＬＦローラ４２と共通の回転軸５３に取り付けられている。カードＬＦピンチローラ８３は、ＬＦピンチローラ８２の右側に間隔を空けた位置に配置されている。カードＬＦピンチローラ８３のピンチローラは、回転軸９３に取り付けられている。カードＬＦピンチローラ８３のピンチローラの周面は、図４に示されるように、下部筐体１３のカードＬＦローラ４３の周面に上方から当接している。
【００６５】
また、画像読取装置１は、図４に示されるように、ＬＦローラ４２およびＬＦピンチローラ８２のシート搬送方向下流側において、第１読取部１００および第２読取部６０を備える。第１読取部１００は、Contact Image Sensor(以後、「ＣＩＳ」と記す）ホルダ１０１、ＣＩＳユニット１０２およびコンタクトガラス１０３を備えている。第２読取部６０は、ＣＩＳホルダ６１、ＣＩＳユニット６２、およびコンタクトガラス６３を備える。
【００６６】
読取部の一例としてのＣＩＳユニット６２は、ＣＩＳホルダ６１内に収容されている。ＣＩＳユニット６２の内部には、たとえば、ＬＥＤ光源、レンズおよびイメージセンサが設けられている。読取部の一例としてのＣＩＳユニット１０２は、ＣＩＳホルダ１０１内に収容されている。ＣＩＳユニット１０２の内部には、たとえば、ＬＥＤ光源、レンズおよびイメージセンサが設けられている。
【００６７】
コンタクトガラス６３は、無色透明のガラスからなる。コンタクトガラス６３は、ＣＩＳホルダ６１の上面を閉塞するように設けられて、ＣＩＳホルダ６１に保持されている。コンタクトガラス１０３は、無色透明のガラスからなる。コンタクトガラス１０３は、ＣＩＳホルダ１０１の下面を閉塞するように設けられて、ＣＩＳホルダ１０１に保持されている。
【００６８】
ＣＩＳホルダ６１は、ＣＩＳユニット６２およびコンタクトガラス６３を保持した状態で、下部筐体１３の平坦部３４に形成された開口６４に嵌められている。ＣＩＳホルダ１０１は、ＣＩＳユニット１０２およびコンタクトガラス１０３を保持した状態で、上部筐体１４の平坦部７４に形成された開口１０４に嵌められている。
【００６９】
ＬＦローラ４２およびＬＦピンチローラ８２により搬送されるシートＳＨの両面の画像は、第１読取部１００および第２読取部６０により読み取られる。
【００７０】
排出ローラ４４および排出ピンチローラ８４は、ＣＩＳユニット１０２およびＣＩＳユニット６２のシート搬送方向下流側に位置する。排出ローラ４４は、２つのローラを備える。排出ローラ４４の２つのピンチローラは、回転軸５６に取り付けられている。排出ピンチローラ８４は、２つのピンチローラを備える。排出ピンチローラ８４の２つのピンチローラは、回転軸９４に取り付けられている。排出ピンチローラ８４の周面は、図４に示されるように、排出ローラ４４の周面に上方から当接している。排出ローラ４４が回転駆動されると、排出ピンチローラ８４が排出ローラ４４に従動して回転される。
【００７１】
カード排出ローラ４５およびカード排出ピンチローラ８５は、ＣＩＳユニット１０２およびＣＩＳユニット６２のシート搬送方向下流側に位置する。カード排出ローラ４５は、２つのローラを備える。カード排出ローラ４５の２つのローラは、回転軸５６に取り付けられている。カード排出ピンチローラ８５は、２つのピンチローラを備える。カード排出ピンチローラ８５の２つのピンチローラは、回転軸９４に取り付けられている。カード排出ピンチローラ８５の周面は、図４に示されるように、カード排出ローラ４５の周面に上方から当接している。カード排出ローラ４５が回転駆動されると、カード排出ピンチローラ８５は、カード排出ローラ４５に従動して回転される。
【００７２】
＜カード導入口＞
【００７３】
画像読取装置１では、シートＳＨよりも幅狭のカードＣＡに描かれている画像を読み取ることができる。カードＣＡは、第２媒体の一例である。
【００７４】
カードＣＡの画像の読み取りのために、図１Ｂに示されるように、第２導入口の一例としてのカード導入口１２１が下部筐体１３の後面１３Ｒと右側板部１２の右面１２Ｒとに跨がって形成されている。カード導入口１２１の上下方向の幅は、カードＣＡの厚さよりも大きく形成されている。従って、カード導入口１２１にカードＣＡを挿入することができる。
【００７５】
下部筐体１３は、カード導入口１２１の上側に形成された上壁部１２４と、カード導入口１２１の下側に形成された下壁部１２５と、カード導入口１２１の左側に形成された左壁部１２６とを備えている。カード導入口１２１は、上壁部１２４の下面１２４Ｂ、下壁部１２５の上面１２５Ｕおよび左壁部１２６の右面１２６Ｒによって形成され、左右方向に延びている。
【００７６】
カード導入口１２１は、筐体２の後面２Ｒに後側に開放されて形成された第１開口１３４と、右側板部１２の右面１２Ｒに右側に開放されて形成された第２開口１３５とを含む。
【００７７】
筐体２は、左右方向において筐体２における右側面と筐体２における左側面との間に位置し、左右方向と交差する壁の一例としての左壁部１２６を備える。
【００７８】
また、筐体２は、第３方向の一方側の一例である上側に設けられる上壁の一例としての上壁部１２４の下面１２４Ｂと、第３方向の他方側の一例である下側に設けられる下壁の一例としての下壁部１２５とを備える。上壁部１２４と下壁部１２５とは、左壁部１２６により連結される。第１開口１３４は、左壁部１２６、上壁部１２４および下壁部１２５の後側の各々の端縁の間に形成される。第２開口１３５は、上壁部１２４および下壁部１２５の右側の各々の端縁の間に形成されている。
【００７９】
＜センサ＞
【００８０】
画像読取装置１は、図４に示されるように、上壁部１２４に設けられ、カード導入口１２１におけるカードＣＡの有無を検出するセンサの一例としての有無センサ１３２を備えている。
【００８１】
有無センサ１３２は、たとえば、マイクロスイッチからなる。有無センサ１３２は、上壁部１２４に設けられている。有無センサ１３２のアクチュエータ１３３は、上壁部１２４の下面１２４Ｂから下方に延び、カード導入口１２１内に突出している。カード導入口１２１内にカードＣＡが挿入されて、そのカードＣＡの先端部によってアクチュエータ１３３が前方に押されることにより、アクチュエータ１３３が通常時の位置から変位すると、つまりアクチュエータ１３３が下方に延びる位置からその下端が少し持ち上がった位置に移動すると、有無センサ１３２から出力される信号のレベルがローレベルからハイレベルに変化する。
【００８２】
よって、有無センサ１３２から出力される信号のレベルに基づいて、カード導入口１２１内におけるアクチュエータ１３３の位置でのカードＣＡの有無を検知することができる。
【００８３】
カード導入ローラ４６およびカード導入ピンチローラ８６は、図４に示すように、傾斜部３３の下方に配置される。カード導入ローラ４６およびカード導入ピンチローラ８６の左右方向における位置は、カードＬＦローラ４３およびカードＬＦピンチローラ８３とほぼ同じ位置である。カード導入ピンチローラ８６は、カード導入ローラ４６の周面に上方から当接している。カード導入ローラ４６およびカード導入ピンチローラ８６は、カード導入口１２１に導入されるカードＣＡを搬送する。
【００８４】
図３、図４Ａおよび図４Ｂに示されるように、カード通過口１２２は、画像読取装置１の内部の右端部側において、下部筐体１３の傾斜部３３の前下端部と平坦部３４との間に形成されている。カード通過口１２２は、平坦部３４と平坦部７４との間の空間と傾斜部３３の下方の空間とを結ぶ。カード通過口１２２の左右方向の幅は、国際標準化機構（ＩＳＯ）／国際電気標準会議（ＩＥＣ）による国際規格ＩＤ−１のカードサイズの短辺の長さ（５３．９８ｍｍ）よりも少し大きく、そのカードサイズの長辺の長さ（８５．６０ｍｍ）よりも小さい。したがって、カード通過口１２２を通して、カードＣＡは、傾斜部３３の下方の空間から平坦部３４と平坦部７４との間の空間へ移動することができる。
【００８５】
図７に示されるように、シート導入口２０１におけるカードＬＦローラ４３およびカードＬＦピンチローラ８３と前後方向に重なる部分にカード排出口１２３が形成されている。カード排出口１２３は、上部筐体１４の前端縁７２と下部筐体１３の前端縁３２との間に形成され、前方に開放されている。カード排出口１２３の下側の一部が、シート排出口２０２の右側の一部と重複している。すなわち、シートＳＨおよびカードＣＡの両方が、この重複領域ＯＬを通過可能である。
【００８６】
カード搬送路２０４は、カード導入口１２１とカード排出口１２３とを連結している。カード搬送路２０４の前側の一部である導入パスＩＰは、傾斜部３３の上面である下ガイドＧＢの下方に配置され、下部筐体１３に形成される。シート搬送路２０３は、カード搬送路２０４の前側の一部である共通パスＣＰを含む。カード搬送路２０４は、導入パスＩＰと共通パスＣＰとを含む。すなわち、カード搬送路２０４のうち、共通パスＣＰは、シート搬送路２０３の右側の一領域である。カードＬＦローラ４３およびカード排出ローラ４５は、カード導入ローラ４６およびカード導入ピンチローラ８６により導入パスＩＰにおいて搬送され、カード通過口１２２を通過したカードＣＡを搬送する。
【００８７】
前述の通り、下部筐体１３の後端縁３１は、下部筐体１３の前端縁３２とほぼ同じ高さに位置している。そして、カード搬送路２０４は、後端縁３１から前端縁３２へ延びている。そのため、カードＣＡの搬送方向は、画像読取装置１が水平面上に設置された状態で、略水平方向となる。
【００８８】
＜シート画像の読み取り＞
【００８９】
画像読取装置１におけるシートＳＨの画像の読み取りの際には、図２および図４に示されるように、上カバー２１が開位置に配置されるとともに、前カバー２２が伸張位置に配置される。そして、開位置の上カバー２１および伸張位置の前カバー２２がなすトレイ上に、シートＳＨが載置される。
【００９０】
トレイ上に載置されるシートＳＨは、その先端部が供給ローラ４１および分離片８１に当接するまで、シート導入口２０１内に差し込まれる。
【００９１】
その後、供給ローラ４１が右側から見て反時計回りに回転される。この供給ローラ４１の回転により、供給ローラ４１の周面からシートＳＨの下面に搬送力が付与され、シートＳＨがＬＦローラ４２，８２に向けて搬送される。シートＳＨの先端部が供給ローラ４１と分離片８１との間に挟まれたときに、シートＳＨが１枚ずつに分離され、１枚のシートＳＨのみが供給ローラ４１と分離片８１との間を通過する。
【００９２】
ＬＦローラ４２およびカードＬＦローラ４３は、右側から見て反時計回りに回転される。ＬＦピンチローラ８２およびカードＬＦピンチローラ８３は、右側から見て時計回りに回転する。供給ローラ４１と分離片８１との間を通過したシートＳＨの先端部がＬＦローラ４２およびカードＬＦローラ４３に到達すると、ＬＦローラ４２およびカードＬＦローラ４３により、シートＳＨに搬送力が付与される。
【００９３】
ＬＦローラ４２とＬＦピンチローラ８２との間およびカードＬＦローラ４３，カードＬＦピンチローラ８３との間を通過したシートＳＨは、コンタクトガラス６３，１０３上を通過する。このとき、コンタクトガラス６３，１０３上のシートＳＨにそれぞれＣＩＳユニット６２，１０２のＬＥＤ光源から光が照射される。そして、シートＳＨでの反射光がＣＩＳユニット６２，１０２のイメージセンサに受けられることにより、シートＳＨの両面に描かれている画像が読み取られる。
【００９４】
排出ローラ４４およびカード排出ローラ４５は、右側から見て反時計回りに回転される。排出ピンチローラ８４およびカード排出ピンチローラ８５は、右側から見て時計回りに回転する。コンタクトガラス６３，１０３上を通過したシートＳＨの先端部が排出ローラ４４およびカード排出ローラ４５に到達すると、排出ローラ４４およびカード排出ローラ４５からシートＳＨに搬送力が付与される。
【００９５】
排出ローラ４４および排出ピンチローラ８４およびカード排出ローラ４５および排出ピンチローラ８５間を搬送されるシートＳＨは、シート排出口２０２を通過して、筐体２外に排出される。
【００９６】
＜カード画像の読み取り＞
【００９７】
カードＣＡの画像の読み取りの際には、カードＣＡが、例えば、第２開口１３５から挿入される。その後、カードＣＡは、例えば、図８に示されるように、先端が左壁部１２６の右面１２６Ｒに当接するまで、左方へ移動される。たとえば、カードＣＡの先端が左壁部１２６の右面１２６Ｒに当接すると、カードＣＡは、前方に移動される。
【００９８】
そして、カード導入ローラ４６は、右側から見て反時計回りに回転される。カード導入ピンチローラ８６は、カード導入ローラ４６の回転に伴って、右側から見て時計回りに回転する。カード導入口１２１内に挿入されたカードＣＡの先端部がカード導入ローラ４６およびカード導入ピンチローラ８６の周面に当接すると、カード導入ローラ４６からカードＣＡに搬送力が付与される。こうして、カード導入ローラ４６は、カード導入口１２１に導入されるカードＣＡを導入パスＩＰにおいて搬送する。カードＣＡは、カード通過口１２２を通過する。
【００９９】
カードＬＦローラ４３は、右側から見て反時計回りに回転される。カードＬＦピンチローラ８３は、カードＬＦローラ４３の回転に伴って、右側から見て時計回りに回転する。カード導入口１２１内に挿入されたカードＣＡの先端部がカードＬＦローラ４３およびカードＬＦピンチローラ８３の周面に当接すると、カードＬＦローラ４３からカードＣＡに搬送力が付与される。
【０１００】
その後、カードＣＡは、第１読取部１００と第２読取部６０との間を通過する。このとき、コンタクトガラス６３，１０３上のカードＣＡにそれぞれＣＩＳユニット６２，１０２のＬＥＤ光源から光が照射される。そして、カードＣＡでの反射光がＣＩＳユニット６２，１０２のイメージセンサに受けられることにより、カードＣＡの両面に描かれている画像が読み取られる。
【０１０１】
カード排出ローラ４５は、右側から見て反時計回りに回転される。一方、カード排出ピンチローラ８５は、カード排出ローラ４５の回転に伴って、右側から見て時計回りに回転する。第１読取部１００と第２読取部６０との間を通過したカードＣＡの先端部がカード排出ローラ４５の周面の当接部分に到達すると、カード排出ローラ４５からカードＣＡに搬送力が付与される。
【０１０２】
カード排出口１２３を通過したカードＣＡは、筐体２外に排出される。このようにして、カードＣＡは、カード排出口１２３を通過して、筐体２外に排出される。
【０１０３】
＜電気的構成＞
【０１０４】
画像読取装置１は、図５に示されるように、マイクロコンピュータを含む構成の制御部１４１と、有無センサ１３２によってカードＣＡがカード導入口１２１において検出される場合に、外部に報知する報知部１５１とを備えている。
【０１０５】
有無センサ１３２から出力される信号は、制御部１４１に入力される。制御部１４１は、有無センサ１３２の出力信号に基づいて、カードＬＦローラ４３およびカード排出ローラ４５の駆動力を発生するモータ１４２および報知部１５１の駆動を制御する。
【０１０６】
報知部１５１は、たとえば、電子音を出力する非図示の発振回路およびスピーカなどを備えている。
【０１０７】
＜制御内容＞
【０１０８】
画像読取装置１の電源がオンされている間、制御部１４１により、図６に示される処理が繰り返される。
【０１０９】
図６に示される処理では、まず、カード導入口１２１内にカードＣＡが挿入されたか否かが判断される（ステップＳ１）。カード導入口１２１内にカードＣＡが挿入されたか否かは、有無センサ１３２の出力信号のレベルに基づいて判断される。すなわち、有無センサ１３２の出力信号のレベルがハイレベルであれば、カード導入口１２１内にカードＣＡが挿入されたと判断される。一方、有無センサ１３２の出力信号のレベルがローレベルであれば、カード導入口１２１内にカードＣＡが挿入されていないと判断される。
【０１１０】
カード導入口１２１内にカードＣＡが挿入されていないときには（ステップＳ１のＮＯ）、図６に示される処理が終了される。
【０１１１】
カード導入口１２１内にカードＣＡが挿入されると（ステップＳ１のＹＥＳ）、報知部１５１が制御されて、電子音が出力されることにより、外部への報知が行われる（ステップＳ２）。
【０１１２】
また、モータ１４２が駆動される（ステップＳ３）。そして、モータ１４２の駆動力がカードＬＦローラ４３およびカード排出ローラ４５に伝達され、カードＬＦローラ４３およびカード排出ローラ４５が右側から見て時計回りに回転される。これにより、カード導入口１２１内に挿入されたカードＣＡが筐体２内に導入される。
【０１１３】
すなわち、画像読取装置１は、有無センサ１３２によってカードＣＡがカード導入口１２１において検出される場合に、カードＬＦローラ４３を駆動する制御を実行する制御部１４１を備えている。
【０１１４】
＜作用効果＞
【０１１５】
カード導入口１２１は、第１開口１３４および第２開口１３５から形成される。第１開口１３４は、筐体２の後面２Ｒに後側に開放されて形成されている。第２開口１３５は、右側板部１２の右面１２Ｒに右側に開放されて形成されている。そのため、使用者は、画像読取装置１の前側に位置していても、第２開口１３５を視認することができる。よって、カードＣＡを右側から第２開口１３５に容易に挿入することができる。そして、そのカードＣＡを第２開口１３５から第１開口１３４へと移動させて、第１開口１３４に後側から前側へ挿入することができる。
【０１１６】
カードＣＡが第２開口１３５から第１開口１３４に移動されるときに、第２開口１３５における上下方向の両端縁により、カードＣＡが上下方向において第１開口１３４内にガイドされる。そのため、カードＣＡを第１開口１３４まで良好に移動させることができる。その結果、画像読取装置１の前側に位置している使用者は、第２開口１３５を視認しながら、第２開口１３５にカードＣＡを容易に挿入することができ、カードＣＡを第１開口１３４まで良好に移動させることにより、カードＣＡを第１開口１３４に容易に挿入することができる。
【０１１７】
筐体２は、左右方向において筐体２における右側面と筐体２における左側面との間に位置し、左右方向と交差する壁の一例としての左壁部１２６を備える。
【０１１８】
この構成によれば、カードＣＡを第２開口１３５から第１開口１３４に向けて、カードＣＡが左壁部１２６の右面１２６Ｒに当接するまで移動させることにより、カードＣＡを前後方向において第１開口１３４と同じ位置に配置することができる。よって、カードＣＡを第１開口１３４に一層容易に挿入することができる。
【０１１９】
筐体２は、上側に設けられる上壁部１２４の下面１２４Ｂと下側に設けられる下壁部１２５の上面１２５Ｕとを備え、下面１２４Ｂと上面１２５Ｕとは、左壁部１２６の右面１２６Ｒにより連結され、第１開口１３４は、右面１２６Ｒ、下面１２４Ｂ、および上面１２５Ｕに形成され、第２開口１３５は、下面１２４Ｂ、および上面１２５Ｕにより形成されている。
【０１２０】
これにより、筐体２に第１開口１３４および第２開口１３５を形成することができる。そして、第２開口１３５の端縁をなす上壁部１２４の下面１２４Ｂおよび下壁部１２５の上面１２５Ｕの各端縁により、第２開口１３５から第１開口１３４に移動されるカードＣＡを上下方向において第１開口１３４内にガイドすることができる。
【０１２１】
なお、カードＣＡが第２開口１３５から第１開口１３４に移動されるときに、上壁部１２４の下面１２４Ｂおよび下壁部１２５の上面１２５ＵがカードＣＡに常に接触している必要はない。このときのカードＣＡのガイドの概念には、カードＣＡが第２開口１３５から第１開口１３４に移動されるときに、カードＣＡが第１開口１３４または第２開口１３５から上下方向に離脱することを規制する程度が含まれる。
【０１２２】
カード導入口１２１におけるカードＣＡの有無を検出する有無センサ１３２が上壁部１２４の下面１２４Ｂに設けられている。
【０１２３】
画像読取装置１は、有無センサ１３２によってカードＣＡがカード導入口１２１において検出されるときに、カードＬＦローラ４３を駆動する制御を実行する制御部１４１を備えている。
【０１２４】
カードＣＡがカード導入口１２１に挿入されると、有無センサ１３２により、カードＣＡが検出される。そして、有無センサ１３２によってカードＣＡが検出されると、制御部１４１により、カードＬＦローラ４３の駆動が制御される。そのため、カード導入口１２１へのカードＣＡの挿入に応答して、カードＬＦローラ４３によるカードＣＡの搬送を開始することができる。
【０１２５】
また、有無センサ１３２が設けられた構成において、画像読取装置１は、有無センサ１３２によってカードＣＡがカード導入口１２１において検出されるときに、電子音を出力する報知部１５１を備えている。
【０１２６】
有無センサ１３２によってカードＣＡが検出されると、電子音が出力される。これにより、カード導入口１２１へのカードＣＡの挿入の完了を使用者に認知させることができる。
【０１２７】
画像読取装置１は、カードＬＦローラ４３に対して前側に設けられ、シート搬送路２０３を搬送されるシートＳＨおよびカード搬送路２０４を搬送されるカードＣＡを搬送するカード排出ローラ４５を備えている。
【０１２８】
これにより、構成を簡素化することができる。
【０１２９】
カード導入ローラ４６は、下ガイドＧＢの下方に配置され、カード導入口１２１に導入されるカードＣＡを導入パスＩＰにおいて搬送する。カード導入ローラ４６が下ガイドＧＢの下方に配置されているので、シートＳＨとカード導入ローラ４６との接触を抑制することができる。したがって、シートＳＨの斜行を抑制することができる。すなわち、カード導入ローラ４６が、たとえば、共通パスＣＰに位置する場合、ＬＦローラ４２の左側に、もう一つのローラ対を設けなければ、カード導入ピンチローラ８６に対する非図示の付勢部材による付勢力により、シートＳＨが回転斜行するおそれがある。しかし、本実施形態では、カード導入ローラ４６が下ガイドＧＢの下方に配置されているので、シートＳＨとカード導入ローラ４６との接触を抑制することができる。よって、ＬＦローラ４２の左側に、もう一つのローラ対を設ける必要性を低減できる。その結果、画像読取装置１の構成の簡素化を図ることができる。
【０１３０】
筐体２には、後側にシート排出口２０２とカード排出口１２３とが形成されており、シート搬送路２０３は、シート導入口２０１とシート排出口２０２との間のシートＳＨの搬送路であり、カード搬送路２０４は、カード導入口１２１とカード排出口１２３との間のカードＣＡの搬送路である。また、カード導入口１２１は、シート導入口２０１の下方に位置し、シート搬送路２０３とカード搬送路２０４とは、左右方向において少なくとも一部が重複しており、シート排出口２０２とカード排出口１２３とは、左右方向において少なくとも一部が重複している。
【０１３１】
これにより、シート排出口２０２とカード排出口１２３とをそれぞれ別個に設ける必要をなくすことができる。
【０１３２】
＜変形例＞
【０１３３】
以上、本発明の一実施形態について説明したが、本発明は、他の形態で実施することもできる。
【０１３４】
また、たとえば、図９に示すように、カードＣＡをカード導入口１２１において検出する有無センサ３００が、カードＣＡの導入時にクリック音のような物理音を発生する機構を有していてもよい。有無センサ３００は、たとえば、アクチュエータ３０１と、ボタン３０２と、を備える。有無センサ３００は、左壁部１２６に設けられる。アクチュエータ３０１は、たとえば、左側へ回動可能なアクチュエータである。ボタン３０２は、たとえば、押されることで物理音を発生するボタンである。カードＣＡの導入時に、たとえば、カードＣＡが第１開口１３４において、第２開口１３５側から左壁部１２６の右面１２６Ｒ側へ移動し、アクチュエータ３０１に当接する。アクチュエータ３０１は、たとえば、カードＣＡが左側へ更に移動されると、それに伴い左側に回動して、右面１２６Ｒに設けられた非図示の切欠き等を超えて、右面１２６Ｒよりも左側へ変位する。アクチュエータ３０１が右面１２６Ｒよりも左側へ変位すると、たとえば、ボタン３０２がアクチュエータ３０１に押され、物理音を発生する。以上のようにして、有無センサ３００が、カードＣＡの導入時にクリック音のような物理音を発生してもよい。これにより、有無センサ３００が発する音によって、使用者にカードＣＡが第１開口１３４に挿入されたかを容易に認識させることができる。なお、上記の構成では有無センサ３００が左壁部１２６に設けられていたが、図９に示すように、有無センサ３００は、上壁部１２４または下壁部１２５に設けられていてもよい。
【０１３５】
また、たとえば、樹脂片または金属片のような音発生部材３１０が設けられていてもよい。音発生部材３１０は、たとえば、図１０に示すように、左壁部１２６に設けられる。音発生部材３１０は、カードＣＡによってはじかれることでクリック音のような物理音を発生する。これにより、音発生部材３１０が発する音によって、使用者にカードＣＡが第１開口１３４に挿入されたかを容易に認識させることができる。なお、上記の構成では音発生部材３１０が左壁部１２６に設けられていたが、図１０に示すように、音発生部材３１０は、上壁部１２４または下壁部１２５に設けられていてもよい。上壁部１２４または下壁部１２５に設けられる音発生部材３１０は、たとえば、図１０に示すようなカードＣＡの導入に応じて動く金属片等である。
【０１３６】
たとえば、前述の実施形態では、有無センサ１３２は、上壁部１２４に設けられているとしたが、有無センサ１３２は、下壁部１２５に設けられていてもよい。また、有無センサ１３２は、左壁部１２６に設けられていてもよい。有無センサ１３２が左壁部１２６に設けられる場合、有無センサ１３２のアクチュエータ１３３は、左方に延び、カード導入口１２１内に突出する。
【０１３７】
また、報知部１５１は、電子音を出力する非図示の発振回路およびスピーカなどを備えているとした。しかしながら、報知部１５１は、外部に報知できるものであればよく、たとえば、ＬＥＤなどのランプであってもよい。この場合、画像読取装置１の外面にランプが配置され、カード導入口１２１内にカードＣＡが挿入されると、これに応答して、そのランプが点灯されるとよい。
【０１３８】
カードＬＦピンチローラ８３は、たとえば、２つのピンチローラを備えていてもよい。カードＬＦピンチローラ８３の２つのピンチローラは、たとえば、回転軸９３に取り付けられていてもよい。カードＬＦピンチローラ８３の２つのピンチローラの周面は、たとえば、それぞれ下部筐体１３のカードＬＦローラ４３の周面に左側および右側に微小な間隔を空けて隣接していてもよい。
【０１３９】
カード排出口１２３の下側の一部が、シート排出口２０２の右側の一部と重複していた。しかし、これに限らず、たとえば、シート排出口２０２の右側の一部がカード排出口１２３であってもよい。すなわち、カード排出口１２３の全領域がシート排出口２０２に右側において含まれていてもよい。カード搬送路２０４のうち、共通パスＣＰは、シート搬送路２０３の右側の一領域であった。しかし、これに限らず、例えば、共通パスＣＰの下側の一部が、シート搬送路２０４の右側の一部と重複していてもよい。
【０１４０】
その他、前述の構成には、特許請求の範囲に記載された事項の範囲で種々の設計変更を施すことが可能である。
【符号の説明】
【０１４１】
１        画像読取装置
２        筐体
１２      右側板部
１２Ｒ    右面
１３Ｒ    後面
４２      ＬＦローラ
４６      カード導入ローラ
６２      ＣＩＳユニット
１０２    ＣＩＳユニット
１２１    カード導入口
１２２    カード通過口
１２３    カード排出口
１２４    上壁部
１２４Ｂ  下面
１２５    下壁部
１２５Ｕ  上面
１２６    左壁部
１２６Ｒ  右面
１３２    有無センサ
１３４    第１開口
１３５    第２開口
１４１    制御部
２０１    シート導入口
２０３    シート搬送路
２０４    カード搬送路
３００    有無センサ
３０２    ボタン
３１０    音発生部材
ＣＡ      カード
ＧＢ      下ガイド
ＧＵ      上ガイド
ＩＰ      導入パス
ＳＨ      シート
【図１Ａ】
2014080247.tif 000003
【図１Ｂ】
2014080247.tif 000004
【図２】
2014080247.tif 000005
【図３】
2014080247.tif 000006
【図４】
2014080247.tif 000007
【図５】
2014080247.tif 000008
【図６】
2014080247.tif 000009
【図７】
2014080247.tif 000010
【図８】
2014080247.tif 000011
【図９】
2014080247.tif 000012
【図１０】
2014080247.tif 000013